(57)【特許請求の範囲】
【請求項１】
不同沈下した建物をジャッキアップして建物を持上げるための不同沈下修正工法において、建築初期に建物の耐圧基礎下部の中心部を除く全周に、耐圧基礎の外周底面より出来る限り大きく構成した、厚さ９ｍｍ以上の鉄板を敷いて、地盤に対する建物の単位面積当たりの載荷重を少なくすると共に、建物が不同沈下した場合、建物の耐圧基礎の側面に取付ける為、４本のボルト挿入穴が開けられた四角形状の鉄板と、その四角形状の鉄板の下部にはジャッキの上部アタッチメントを当接させる為の四角形状の下部鉄板が、四角形状の鉄板に対してＬ形状に取付けられ、さらに、Ｌ形状の鉄板の両端の部分には補強用の三角形状の鉄板を取付け、このように構成された不同沈下修正金具を、耐圧基礎の側面部分に４本のボルトで固定すると共に、ジャッキを耐圧基礎下部に敷いた鉄板の上面に載せ、ジャッキ上部のアタッチメントを不同沈下修正金具のＬ形状に構成された下部鉄板に当接させ、複数のジャッキを用いて建物をジャッキアップさせる場合においても、複数のジャッキの本体を、建物の耐圧基礎下部の中心部を除く建物の全周に配置された一体の鉄板の上部に載せて安定した状態で建物をジャッキアップした事を特徴とする鉄板フーチング方式による不同沈下修正工法。
【発明の詳細な説明】
【技術分野】
【０００１】  この発明は、不同沈下した建物をジャッキアップするための鉄板フーチング方式による不同沈下修正工法に関するものである。
【背景技術】
【０００２】  従来、建物を建築するためには、まず最初に建てる土地の地盤調査をし、地耐力を計算した後、基礎や杭を設計します。つまり建物の重さより地耐力が必ず大きくなけれは建築確認がとれません。
【発明の開示】
【発明が解決しようとする課題】
【０００３】  しかしながら、建物に対する必要地耐力に関しては、建物の重さプラス余裕が必要となります。このためプラス余裕をどの程度にするか、しばしば問題になります。【０００４】  もちろん堅固な地盤であれば問題はありませんが、建物の重さに対して地耐力に余裕がない場合は地盤改良や鋼管杭等の工事が必要になります。さらに、新造成地や土質不良地等の地盤においては、部分的に地耐力の低い場所が存在するため、不同沈下が発生しやすいと云う問題をかかえていた。【０００５】  このように、地耐力を十分に考慮して建物を建築した場合であっても、経年変化により不同沈下が発生して建物が傾くと云う問題が発生していた。【０００６】  従来から、このように建物が傾いた場合は、不同沈下した建物の直近に、新しい基礎を構築しその基礎にジャッキを据付け、建物をジャッキアップさせる方法や、不同沈下した建物の直近に、鋼管杭を支持地盤まで打ち込むと共に、その鋼管杭の上部にジャッキを据付け、建物をジャッキアップさせる方法等のアンダーピニング工法が知られているが、いずれの方法も、多大な費用と長期間の補修工事が必要となる等の問題が発生していた。【０００７】  そこで、この発明は建物が不同沈下した場合の補修工法として、従来から行われてきたアンダーピニング工法に頼ることなく、建築初期に建物の耐圧基礎の下部に、耐圧基礎の外周底面より大きく構成した鉄板を敷いておく事により、地盤に対する建物の載荷重を少なくすると共に、建物をジャッキアップする際のジャッキ有効底盤として利用することができる等、鉄板フーチング方式による不同沈下修正工法を提供することを課題としている。
【課題を解決するための手段】
【０００８】かかる課題を達成するために、請求項１に記載の発明は、不同沈下した建物をジャッキアップして建物を持上げるための不同沈下修正工法において、建築初期に建物の耐圧基礎下部の中心部を除く全周に、耐圧基礎の外周底面より出来る限り大きく構成した、厚さ９〜１６ｍｍ以上の鉄板を敷いて、地盤に対する建物の単位面積当たりの載荷重を少なくすると共に、建物が不同沈下した場合、建物の耐圧基礎の側面に取付ける為、４本のボルト挿入穴が開けられた四角形状の鉄板と、その四角形状の鉄板の下部にはジャッキの上部アタッチメントを当接させる為の四角形状の下部鉄板が、四角形状の鉄板に対してＬ形状に取付けられ、さらに、Ｌ形状の鉄板の両端の部分には補強用の三角形状の鉄板を取付け、このように構成された不同沈下修正金具を、耐圧基礎の側面部分に４本のボルトで固定すると共に、ジャッキを耐圧基礎下部に敷いた鉄板の上面に載せ、ジャッキ上部のアタッチメントを不同沈下修正金具のＬ形状に構成された下部鉄板に当接させ、複数のジャッキを用いて建物をジャッキアップさせる場合においても、複数のジャッキの本体を、建物の耐圧基礎下部の中心部を除く建物の全周に配置された一体の鉄板の上部に載せて安定した状態で建物をジャッキアップした事を特徴とする。
【発明の効果】
【００１１】  請求項１に記載の発明によれば、建物の耐圧基礎の下部に耐圧基礎の外周底面より大きく構成した鉄板を敷くと共に、建物に不同沈下修正金具を固定し、鉄板の上面にジャッキを据付け、建物と一体になるように固定した不同沈下修正金具をジャッキにて押上げる事により建物が持上がるようにしため、ジャッキ有効底盤の面積を最大限に広く利用することが可能となり、従来のように、不同沈下した基礎の直近に鋼管杭を支持層まで打ち込み、上部をコンクリートで固めた上にジャッキを据付け、建物のジャッキアップを行うと云うようなアンダーピニング工法が不要となると共に、工期の短縮につながり、大幅にコストの低減を図ることができる。
【実施例】
【００１４】  以下、この発明の実施の形態について説明する。【００１５】  図１及至図３は、この発明の実施の形態を示す。【００１６】  図１ａは建物１と基礎部３の断面図である。耐圧基礎４の底面に耐圧基礎４の外周底面より大きく構成した鉄板５を敷き、その下部は転圧された砕石６で構成される。【００１７】  図１ｂは基礎部３の拡大図である。地表面２を鉄板５の位置まで掘削すると共に、耐圧基礎４に不同沈下修正金具７をボルト８で固定し、その固定した不同沈下修正金具７と鉄板５の間にジャッキ９を挿入し不同沈下した建物をジャッキアップさせる事により建物を持上げる。図１ｃは不同沈下修正金具７の斜視図である。【００１８】  図２は耐圧基礎４と鉄板７の平面図である。耐圧基礎４の四隅の底部に鉄板７が敷かれる。【００１９】  図３は耐圧基礎４と鉄板７の平面図である。耐圧基礎４の中心部を除く底部の全周に鉄板８が敷かれる。【００２０】  以上、実施の形態に基づいて、本発明に係る鉄板フーチング方式による不同沈下修正工法について詳細に説明してきたが、本発明は、以上の実施の形態に限定されるものではなく、発明の趣旨を逸脱しない範囲において各種の改変をなしても、本発明の技術的範囲に属するのはもちろんである。【００２１】  図１及至３において、鉄板５、鉄板１１、鉄板１２が耐圧基礎４の底面に構成される状態を図示したが、鉄板５、鉄板１１、鉄板１２の厚さは９〜１６ｍｍ以上の鉄板を使用することが望ましく、さらに鉄板５、鉄板１１、鉄板１２はジャッキアップする際の地耐力を考慮して、耐圧基礎の外周底面より出来る限り大きく構成することが望ましい。【００２２】  図１及至３において、鉄板５、鉄板１１、鉄板１２は鉄板を使用したが、鉄筋入りコンクリート盤を使用することも可能である。
【図面の簡単な説明】
【００２３】
【図１】この発明の実施の形態に係る建物と基礎部の断面図である。
【図２】同実施の形態に係る耐圧基礎と鉄板の構成を示した平面図である。
【図３】同実施の形態に係る耐圧基礎と鉄板の構成を示した平面図である。
【符号の説明】
【００２４】１                  建物
２                  地表面
３                  基礎部
４                  耐圧基礎
５                  鉄板
６                  砕石
７                  不同沈下修正金具
８                  ボルト
９                  ジャッキ
１０                ボルト穴
１１                鉄板
１２                鉄板
【図１】
0004807622.tif 000002
【図２】
0004807622.tif 000003
【図３】
0004807622.tif 000004